(57)【要約】【課題】ねじを用いずに簡単に組立てることができ、組立の他に分解も容易な液体噴射ヘッドおよび液体噴射装置を提供すること。【解決手段】液体をノズル面３１１Ｐから噴射する液体噴射ヘッド３０であって、第１部材３５０と、第１部材３５０に重ねて配置される第２部材３４０とを有するケース３０１と、第２部材３４０に配置されて液体を噴射するためのヘッドユニット３１０と、第１部材３５０と第２部材３４０を挟持することにより第１部材３５０と第２部材３４０とを固定する固定体６００とを備える。【選択図】図７
2006224363.tif 000002
【特許請求の範囲】
【請求項１】
液体をノズル面から噴射する液体噴射ヘッドであって、
第１部材と、前記第１部材に重ねて配置される第２部材とを有するケースと、
前記第２部材に配置されて前記液体を噴射するためのヘッドユニットと、
前記第１部材と前記第２部材を挟持することにより前記第１部材と前記第２部材とを固定する固定体と、を備えることを特徴とする液体噴射ヘッド。
【請求項２】
前記固定体は、
前記第１部材の縁部と前記第２部材の縁部をスライドして挿入することにより前記第１部材の縁部と前記第２部材の縁部を固定するための溝部分を有しているＵ字型の第１固定部材と、
前記第１固定部の第１開放端部と第２開放端部を着脱自在に閉じるためのＩ字型の第２固定部材と、を有していることを特徴とする請求項１に記載の液体噴射ヘッド。
【請求項３】
前記固定体は、前記第１固定部材が前記第１部材の縁部と前記第２部材の縁部を固定する状態をさらに補強する補強部材を有していることを特徴とする請求項２に記載の液体噴射ヘッド。
【請求項４】
前記ヘッドユニットは、前記液体を噴射するために前記ノズル面のノズルに対応してアクチュエータを有しており、前記第１部材と前記第２部材は、前記アクチュエータに対して電気的に接続される基板を収容していることを特徴とする請求項２または請求項３に記載の液体噴射ヘッド。
【請求項５】
前記ケースの前記第１部材は、液体貯留部からの前記液体を導入する針部材を有し、前記ケースの前記第２部材は、前記針部材に対応して設けられて前記液体を前記ヘッドユニット側に導く流路開口を有していることを特徴とする請求項２または請求項３に記載の液体噴射ヘッド。
【請求項６】
液体をノズル面から噴射する液体噴射ヘッドを有する液体噴射装置であって、
前記液体噴射ヘッドは、
第１部材と、前記第１部材に重ねて配置される第２部材とを有するケースと、
前記第２部材に配置されて前記液体を噴射するためのヘッドユニットと、
前記第１部材と前記第２部材を挟持することにより前記第１部材と前記第２部材とを固定する固定体と、を備えることを特徴とする液体噴射装置。
【発明の詳細な説明】
【技術分野】
【０００１】
本発明は、液体を噴射する液体噴射ヘッドおよび液体噴射ヘッドを有する液体噴射装置に関する。
【背景技術】
【０００２】
ターゲットに対して液体を噴射させる液体噴射装置として、記録ヘッドから記録媒体に対してインク滴を噴射させて印刷を行うインクジェット式記録装置が知られている。
そして、このようなインクジェット式記録装置は、インクカートリッジからインクの供給を受けるインクジェット式記録ヘッドと、記録用紙を記録ヘッドに対して相対的に移動させる紙送り手段を備え、インクジェット式記録ヘッドをキャリッジ上で記録用紙の幅方向に移動させながら記録ヘッドのノズルから記録媒体に対してインク滴を吐出させることによって、所望の文字や図形等の画像を記録する。
この種の記録ヘッドは、ヘッドケースとヘッドユニットを有している。ヘッドユニットは、ヘッドケースに対して、少なくとも３本以上のねじを用いて固定している（例えば特許文献１）。
【０００３】
【特許文献１】特開２００４−１２２５１７号公報（第８頁、図４）
【発明の開示】
【発明が解決しようとする課題】
【０００４】
ところが、特許文献１に開示されている記録ヘッドの構造では、次のような問題がある。ヘッドユニットがケースヘッドに対してねじにより固定する構造であると、記録ヘッドの小型化およびヘッドユニットの占有面積を小さくするのに支障が出る可能性がある。
しかもねじ止めであると、ある程度ねじの軸方向の長さが必要であるので、ヘッドユニットの高さ方向の寸法を短くすることが難しい。このねじの頭の部分は、ヘッドユニットのノズル面の高さと略同じ位置になってきていることから、ねじの頭の部分には、インクのミストなどが付着しやすい。ミストが付着すると、ミストがヘッドユニットを伝いながらコネクタなどの電気的な接続部分に対して入り込んで付着してしまい、電気的な接続に支障が出る恐れがある。
【０００５】
そこで本発明は上記課題を解消し、ねじを用いずに簡単に組立てることができ、組立の他に分解も容易な液体噴射ヘッドおよび液体噴射ヘッドを有する液体噴射装置を提供することを目的としている。
【課題を解決するための手段】
【０００６】
上記目的は、本発明にあっては、液体をノズル面から噴射する液体噴射ヘッドであって、第１部材と、前記第１部材に重ねて配置される第２部材とを有するケースと、前記第２部材に配置されて前記液体を噴射するためのヘッドユニットと、前記第１部材と前記第２部材を挟持することにより前記第１部材と前記第２部材とを固定する固定体と、を備えることを特徴とする液体噴射ヘッドによって、達成される。
本発明の構成によれば、ケースは、第１部材と、この第１部材に重ねて配置される第２部材を有している。ヘッドユニットは、第２部材に配置されて液体を噴射する。
固定体は、ケースの第１部材と第２部材を挟持することにより第１部材と第２部材とを固定するためのものである。
これにより、あらかじめヘッドユニットが配置されている第２部材と、第１部材とは、固定体により挟持するだけで、第１部材と第２部材からなるケースを確実かつ簡単に組立てることができる。このケースの組立にはねじは用いないので、従来生じていたねじにおけるミストの付着により発生したミストの侵入を確実に防ぐことができる。
【０００７】
本発明は、前記固定体は、前記第１部材の縁部と前記第２部材の縁部をスライドして挿入することにより前記第１部材の縁部と前記第２部材の縁部を固定するための溝部分を有しているＵ字型の第１固定部材と、前記第１固定部の第１開放端部と第２開放端部を着脱自在に閉じるためのＩ字型の第２固定部材と、を有していることが好ましい。
本発明の構成によれば、固定体は、Ｕ字型の第１固定部材とＩ字型の第２固定部材を有している。Ｕ字型の第１固定部材は、第１部材の縁部と第２部材の縁部をスライドして挿入することにより第１部材の縁部と第２部材の縁部を固定するための溝部分を有している。Ｉ字型の第２固定部材は、第１固定部の第１開放端部と第２開放端部を着脱自在に閉じるものである。
これにより、Ｕ字型の第１固定部材とＩ字型の第２固定部材を用いることで、ケースの第１部材と第２部材は、挟持して確実に固定することができる。しかもＩ字型の第２固定部材は、Ｕ字型の第１固定部材の第１開放端部と第２開放端部から取り外すことにより、ケースの第１部材と第２部材が簡単に分解して、第１部材と第２部材との間に配置された要素をメンテナンスすることが容易になる。
【０００８】
本発明は、前記固定体は、前記第１固定部材が前記第１部材の縁部と前記第２部材の縁部を固定する状態をさらに補強する補強部材を有していることが好ましい。
本発明の構成によれば、固定体は、第１固定部材が第１部材の縁部と第２部材の縁部を固定する状態をさらに補強する補強部材を有している。
この補強部材を用いることにより、第１部部材の縁部と第２部材の縁部を固定して、これによって、ケースの第１部材と第２部材の組立状態をより確実にすることができる。
【０００９】
本発明は、前記ヘッドユニットは、前記液体を噴射するために前記ノズル面のノズルに対応してアクチュエータを有しており、前記第１部材と前記第２部材は、前記アクチュエータに対して電気的に接続される基板を収容していることが好ましい。
本発明の構成によれば、ヘッドユニットは、液体を噴射するためのノズル面のノズルに対応してアクチュエータを有している。第１部材と第２部材は、アクチュエータに対して電気的に接続される基板を収容している。
これにより、固定体によるケースの第１部材と第２部材の組立状態を解除することにより、第１部材と第２部材の中に配置されている基板のメンテナンスを簡単に行うことができる。
【００１０】
本発明は、前記ケースの前記第１部材は、液体貯留部からの前記液体を導入する針部材を有し、前記ケースの前記第２部材は、前記針部材に対応して設けられて前記液体を前記ヘッドユニット側に導く流路開口を有していることが好ましい。
本発明の構成によれば、ケースの第１部材は、液体貯留部からの液体を導入する針部材を有している。ケースの第２部材は、針部材に対応して設けられて液体をヘッドユニット側に導く流路開口を有している。
これにより、固定体によるケースの第１部材と第２部材の組立状態を解除することにより、第１部材の針部材のメンテナンスと、第２部材側の流路開口のメンテナンスを容易に行うことができる。
【００１１】
上記目的は、本発明にあっては、液体をノズル面から噴射する液体噴射ヘッドを有する液体噴射装置であって、前記液体噴射ヘッドは、第１部材と、前記第１部材に重ねて配置される第２部材とを有するケースと、前記第２部材に配置されて前記液体を噴射するためのヘッドユニットと、前記第１部材と前記第２部材を挟持することにより前記第１部材と前記第２部材とを固定する固定体と、を備えることを特徴とする液体噴射装置により、達成される。
これにより、あらかじめヘッドユニットが配置されている第２部材と、第１部材とは、固定体により挟持するだけで、第１部材と第２部材からなるケースを確実かつ簡単に組立てることができる。このケースの組立にはねじは用いないので、従来生じていたねじにおけるミストの付着により発生したミストの侵入を確実に防ぐことができる。
【発明を実施するための最良の形態】
【００１２】
以下、本発明の好適な実施の形態を図面を参照して説明する。
図１は、本発明の液体噴射装置の好ましい実施形態であるインクジェット式記録装置１０を示している。
図１に示すインクジェット式記録装置１０は、インクジェットプリンタとも呼んでいる。インクジェット式記録装置１０は、本体部１を有している。この本体部１は、ガイドレール１７、プラテン１２、キャリッジ１４、インク吸引装置２０、記録ヘッド３０を備えている。記録ヘッド３０は、液体の噴射ヘッドの一例であり、印刷ヘッドとも言う。
【００１３】
図１に示すインクジェット式記録装置１０は、いわゆるオンキャリッジ型の記録装置であり、キャリッジ１４の上部には、複数のインクカートリッジ２，３，４，５が着脱可能に装着できる。キャリッジ１４の下部には、記録ヘッド３０が設けられている。キャリッジ１４は、ベルト１５を介してモータ１６に接続されている。モータ１６が作動することによって、キャリッジ１４はガイドレール１７に沿ってプラテン１２の軸方向である主走査方向Ｔに往復走行する。
【００１４】
ホームポジション１８は、ガイドレール１７の一方の端部に位置している。このホームポジション１８は、キャリッジの走行経路の末端にある非印刷領域である。このホームポジション１８には、本体部１の上にインク吸引装置２０が配置されている。このインク吸引装置２０は、液体吸引装置の一例でありキャッピングシステムもしくはキャッピング手段とも呼んでいる。図１のキャリッジ１４の記録ヘッド３０は、Ｔ１方向に沿ってホームポジション１８に移動することで、インク吸引装置２０のキャップ本体２１に対面する。
【００１５】
インク吸引装置２０は、記録ヘッド３０のノズル開口のインクの乾燥を防止する機能と、吸引ポンプ１９からの負圧をノズル開口に作用させてノズル開口からインクを強制的に吸引して排出させる機能を備える。この吸引ポンプ１９は、インク吸引装置２０を構成する一構成要素である。インク吸引装置２０は、液体吸引装置の一例である。インクは液体の一例である。
この他に、インク吸引装置２０の横には、ワイピング部材４００が設けられている。このワイピング部材４００は、必要に応じて記録ヘッド３０のノズルプレート面のインクを払拭する。
【００１６】
図２は、図１に示すインクジェット式記録装置１０の電気的な接続例を示している。インクジェット式記録装置１０の制御装置７は、ローカルプリンタケーブルまたは通信ネットワークを介してホストコンピュータ４０のプリンタドライバ４１に接続されている。プリンタドライバ４１は、インクジェット式記録装置１０に対して印刷やクリーニング動作あるいはインク吸引動作を実行させるためのコマンドを送るソフトウェアを搭載している。
図２に示すインクジェット式記録装置１０は、制御装置７の他に、センサー８、インク吸引装置２０、インクカートリッジ２，３，４，５、記録ヘッド３０、キャリッジ１４、用紙搬送機構１５Ａを含んでいる。
【００１７】
図１の実施形態では、複数のインクカートリッジ２，３，４，５が、キャリッジ１４の上に直接搭載されているが、これに限らずインクカートリッジ２，３，４，５がキャリッジとは別の位置に搭載されている、いわゆるオフキャリッジ型のインクジェット式記録装置を採用しても勿論構わない。
図２の用紙搬送機構１５Ａは、図１の用紙２９をプラテン１２上を搬送するようになっている。用紙２９は記録媒体の一種である。
【００１８】
図３は、図１に示す記録ヘッド３０の構造例を示す分解斜視図である。
図３に示す記録ヘッド３０は、概略的にはケース３０１と、ヘッドユニット３１０を有している。
ケース３０１は、この図示例では上ケース３５０と下ケース３４０を有している。
ヘッドユニット３１０は、ヘッドチップあるいはヘッドチップユニットとも呼ぶことができ、ヘッドユニット３１０は、次のような積層構造を有している。ヘッドユニット３１０は、ノズルプレート３１１、リザーバプレート３１３、供給プレート３１４、アクチュエータ３１５を有している。
【００１９】
ノズルプレート３１１は、インクを吐出するためのノズル開口であるたとえばノズル３１１ａを多数有している。ノズルプレート３１１の上には、フィルム接着材３１２が配置されている。このフィルム接着材３１２は、リザーバプレート３１３とノズルプレート３１１を接着している。
リザーバプレート３１３は、ノズルプレート３１１側にインクを供給するためのものであり、リザーバプレート３１３は、供給プレート３１４に対して別のフィルム接着材３１２を介して接着されている。
【００２０】
供給プレート３１４は、リザーバプレート３１３側にインクを供給する。供給プレート３１４の上には、アクチュエータ３１５がフィルム接着材３１３Ａにより接着されている。このアクチュエータ３１５は、外部より基板３３０とＴＣＰ３２０を介して駆動電圧が印加されると、撓み振動を発生する圧電振動子を多数有している。この圧電振動子は、ノズル面３１１Ｐのノズル３１１ａに対応してそれぞれ１つずつ配置されている。圧電振動子の撓み振動により、任意のノズル３１１ａからインクを噴射するようになっている。
【００２１】
図３のアクチュエータ３１５の上には、フレキシブル配線基板の一例であるたとえばＴＣＰ（テープ・キャリア・パッケージ）３２０が、たとえば接着により接続されている。このＴＣＰ３２０は、アクチュエータ３１５の各圧電振動子に対してそれぞれ駆動用の信号を供給するためのものである。ＴＣＰ３２０は可撓性材料などにより作られており屈曲自在である。
【００２２】
次に、図３に示す記録ヘッド３０のケース３０１について説明する。
ケース３０１の上ケース３５０は、下ケース３４０の上に配置されていて、上ケース３５０と下ケース３４０を重ね合わせて組み合わせることにより、ケース３０１が構成できる。
上ケース３５０と下ケース３４０の間には、基板３３０とフィルタ３４２が収容されている。上ケース３５０はたとえば４つの針部材３５１を有しており、各針部材３５１は、図１に示すインクカートリッジ２ないし５にそれぞれ着脱可能に差し込んで接続をする。各インクカートリッジ２ないし５内の各インクが、別々の針部材３５１を通じてそれぞれフィルタ３４２を介して下ケース３４０の流路開口３４１側に供給される。
フィルタ３４２は、下ケース３４０に溶着されていて、インクを濾過することで不純物や気泡を除去する。流路開口３４１に導かれた各インクカートリッジ内のインクは、ヘッドユニット３１０の供給プレート３１４側に供給されることにより、各インクは、アクチュエータ３１５の作動により、任意のノズル３１１ａからインクを噴射することができる。
【００２３】
図３の基板３３０は、コネクタ３３１を有していて、基板３３０は、下ケース３４０の基板配置部３４３に収容して固定される。このように上ケース３５０と下ケース３４０は、基板３３０、フィルタ３４２を収容して保護するケースであり、図１のキャリッジ１４の下部に着脱可能に装着される。
【００２４】
図３に示すヘッドユニット３１０は、下ケース３４０の突出部２００の下面側に対して配置される。カバーヘッド４００は、このヘッドユニット３１０を突出部２００に対してたとえば着脱可能に取り付けることができる。カバーヘッド４００は、カバー部材の一例であるが、ノズルプレート３１１の下面側からヘッドユニット３１０全体を下ケース３４０の突出部２００の下面側に対して着脱可能に取り付けることができる。
【００２５】
図３に示すカバーヘッド４００は、ヘッドユニット３１０を下ケース３４０の突出部２００に対して、たとえばはめ合いのような機械的な係合手段を用いて、好ましくは着脱可能に固定するための部材である。このカバーヘッド４００は、矩形状の開口部４１０を有している。この開口部４１０は、ノズルプレート３１１のノズル面３１１Ｐにおける各ノズル３１１ａを外部に露出するための穴である。ノズルプレート３１１の４つの周縁部は、カバーヘッド４００の４つの辺の支持面部４１１により密着して支持されている。
【００２６】
図４は、図３の記録ヘッド３０の組立体について、Ａ−Ａ線における断面構造例を示している。
図４においては、上ケース３５０、下ケース３４０、ヘッドユニット３１０およびカバーヘッド４００、そして固定体６００を示している。固定体６００は、図４では二点鎖線で示している。
突出部２００は、下ケース３４０の一部であり略直方体形状部分である。この突出部２００は、図４においてＺ１方向に、すなわち下方に向けて突出して形成されている部分である。この突出部２００内には、インク流路２０１を有している。各インク流路２０１は、各流路開口３４１に接続されていて、インク流路２０１の下端部分はノズル３１１ａに接続されている。
【００２７】
図４に示す上ケース３５０は、カートリッジガイド３５２を有している。このカートリッジガイド３５２は、Ｚ２方向に突出して枠形状に形成されており、図１に示すカートリッジ２ないし５がそれぞれ着脱可能に案内してはめ込むことができる部分である。
針部材３５１は、上ケース３５０と一体に形成されているが、針部材３５１はＺ２方向に突出している。針部材３５１の下端部分と流路開口３４１の上端部分の間には、フィルタ３４２が配置されている。
【００２８】
図４の基板３３０は、コネクタ３３１を搭載している。基板３３０の上には、位置決め用のボス３６９がＺ２方向に突出して設けられている。ＴＣＰ３２０は、図４と図３に示すようにアクチュエータ３１５と基板３３０を電気的に接続している。位置決め用ボス３６９は、ＴＣＰ３２０の接続端部３６５を基板３３０側に位置決めする。
これによって、接続端部３６５は、基板３３０を介してコネクタ３３１に対して電気的に接続されている。ＴＣＰ３２０は、ヘッドユニット３１０側から、突出部２００の内面２００ＴをＺ２方向に沿って立ち上げて、さらに基板３３０の上面側において位置決め用ボス３６９により位置決めして固定できる構造である。
【００２９】
図５は、図４に示す上ケース３５０の上にインクカートリッジ２ないし５が装着された状態の例を示している。
インクカートリッジ２ないし５は上ケース３５０のカートリッジガイド３５２によりガイドされた状態で装着されている。針部材３５１は、インクカートリッジ２ないし５内に挿入されることで、インクカートリッジ２ないし５内のインクがそれぞれ対応する針部材３５１を通じて記録ヘッド３０のノズル側にインクを供給する。
【００３０】
図６は、ケース３０１の上ケース３５０と下ケース３４０、ヘッドユニット３１０および固定体６００の好ましい実施形態を示している。図７は、固定体６００の分解斜視図である。
図６のケース３０１の上ケース３５０は、第１部材に相当し、ケース３０１の下ケース３４０は、第２部材に相当する。図６では、上ケース３５０および下ケース３４０は、図面の簡単化のために模式的に示している。上ケース３５０は、４つの縁部３５０Ａ，３５０Ｂ，３５０Ｃ，３５０Ｄを有している。同様にして下ケース３４０は、４つの縁部３４０Ａ，３４０Ｂ，３４０Ｃ，３４０Ｄを有している。
縁部３５０Ａないし３５０Ｄは、縁部３４０Ａないし３４０Ｄに対応して配置されている。下ケース３４０は、突出部２００を有しているが、突出部２００の下面側にはヘッドユニット３１０好ましくはがあらかじめ配置されている。上ケース３５０と下ケース３４０は、図６と図７に示す固定体６００により着脱可能に固定することができる。
【００３１】
固定体６００は、図６と図７（Ａ）に示すように、第１固定部材６０１と第２固定部材６０２を有している。第１固定部材６０１は、Ｕ字型の部材である。第２固定部材６０２は、Ｉ字型の部材である。図７（Ａ）に示すように第１固定部材６０１は、第１開放端部６１１と第２開放端部６１２および３つの側部６１４，６１５，６１６を有している。
側部６１４，６１６は、側部６１５に比べて図示例では長く形成されている。側部６１４ないし６１６の断面形状は、図７（Ｂ）に示すように、断面Ｕ字型を有していて、その内部は溝部分６６０になっている。
【００３２】
図７と図６に示すように、側部６１４の溝部分６６０には、図６に示す上ケース３５０の縁部３５０Ｂと下ケース３４０の縁部３４０Ｂが図６に示すＲ方向に沿ってスライドしてはまり込むようになっている。同様にして、側部６１６の溝部分６６０には、図６に示す上ケース３５０の縁部３５０Ｄと下ケース３４０の縁部３４０ＤがＲ方向にスライドしてはまり込むようになっている。側部６１５の溝部分６６０には、縁部３５０Ｃと縁部３４０Ｃがはまり込むようになっている。
図７では、上ケース３５０の縁部３５０Ｂ，３５０Ｃ，３５０Ｄおよび下ケース３４０の縁部３４０Ｂ，３４０Ｃ，３４０Ｄが、３つの側部６１４，６１５，６１６内にはまり込んだ状態を示している。
【００３３】
図７に示す第２固定部材６０２は、第１固定部材６０１の第１開放端部６１１と第２開放端部６１２に対して着脱可能にはまり込むようになっている。第２固定部材６０２は、第１開放端部６１１、第２開放端部６１２からは外れないように比較的きついはめ合い状態で閉じるようになっている。第２固定部材６０２が第１開放端部６１１と第２開放端部６１２にはまり込んだ状態では、第２固定部材６０２の溝部分６６１には、上ケース３５０の縁部３５０Ａと下ケース３４０の縁部３４０Ａがはまり込むようになっている。
【００３４】
このようにして、第１固定部材６０１と第２固定部材６０２は、上ケース３５０と下ケース３４０を確実にスライドした状態ではめ込むことで外れないように容易に固定することができる。
もし上ケース３５０と下ケース３４０の組立状態を外す場合には、第２固定部材６０２が第１開放端部６１１と第２開放端部６１２から取り外された後に、上ケース３５０と下ケース３４０を図６のＲ方向と反対方向に沿って第１固定部材６０１の各溝６６０からスライドして取り外せばよい。
【００３５】
上ケース３５０と下ケース３４０の組立体は、固定体６００から簡単に取り外すことができるので、たとえば図４に示す上ケース３５０と下ケース３４０内に配置されているコネクタ３３１、基板３３０、あるいはＴＣＰ３２０のメンテナンスや交換、そして針部材３５１のメンテナンスやフィルタ３４２のメンテナンスや交換を容易に行うことができる。
【００３６】
図６に示す固定体６００の第１固定部材６０１が、Ｕ字型に形成されていることから、図４に示す針部材３５１やカートリッジガイド３５２がＺ２方向に突出して存在していても、これらの針部材３５１やカートリッジガイド３５２をさけるようにして固定体６００を設けることができる。
【００３７】
図８は、上ケース３５０と下ケース３４０が、固定体６００により組立てられて固定されている状態を側面から示している。
図９は、図８に示す固定体６００により固定された上ケース３５０と下ケース３４０に対してさらに補強部材７００を用いた例を示している。この補強部材７００は、たとえば第１固定部材６０１の側部６１４と側部６１６にそれぞれ２個配置されている。
補強部材７００は、たとえば図９に示すように断面略Ｕ字型を有しており、側部６１４あるいは６１６の外側から覆うようにして着脱可能にはめ込むことができる。この補強部材７００は、図示例では爪部７１５，７１５を有しており、この爪部７１５，７１５が、直接上ケース３５０と下ケース３４０を上方向と下方向から押し付けている。このようにすることで、側部と上ケースおよび下ケースの固定関係をより確実に補強することができ、固定状態の安定化を図ることができる。
この補強部材７００は、第１開放端部６１１、第２開放端部６１２の付近において配置することにより第１固定部材６０１と第２固定部材６０２の連結部分の補強を行うようにしても良い。この場合に補強部材７００の形状は、図９に示す補強部材７００の形状とやや異なる。
【００３８】
図１０と図１１は、本発明の別の実施形態を示している。図１０と図１１に示す固定体６００は、第１固定部材１６０１と第２固定部材１６０２を有している。第１固定部材１６０１と第２固定部材１６０２は、それぞれ略Ｕ字型を有していて、第１固定部材１６０１と第２固定部材１６０２の内側には、それぞれ溝部分６６０が形成されている。第１固定部材１６０１と第２固定部材１６０２が、上ケース３５０と下ケース３４０のそれぞれの縁部３５０Ａないし３５０Ｄ、３４０Ａないし３４０Ｄをそれぞれスライドすることにより挟持する構造である。
第２固定部材１６０２が、第１固定部材１６０１の第１開放端部１６１１と第２開放端部１６１２にはまり込むことにより、上ケース３５０と下ケース３４０は、確実かつ容易にしかも着脱可能に重ね合わせて固定することができる。
【００３９】
上述した固定体６００の第１固定部材と第２固定部材の材質は、金属またはプラスチックあるいはセラミックスなどにより作ることができる。固定体の第１固定部材と第２固定部材の形状は、図示例に限らず他の形状を採用しても勿論構わない。
固定体の溝部分の断面形状は、上ケース３５０と下ケース３４０のそれぞれの縁部の形状に合わせて任意に形成することができる。
本発明の実施形態のようにねじを用いずに、上ケースと下ケースを重ね合わせて着脱可能に固定する構造を採用すれば、従来用いていた複数個のねじによる固定に比べて、液体噴射ヘッドの組立あるいは分解作業が容易かつ短時間で行える。ねじを用いて組立てる必要が無いので、インクがミスト化してそのミストがノズル面に付着した場合にねじを設けていないことから、このミストがコネクタなどに回り込んで付着してしまうことを確実に防ぐことができる。
【００４０】
本発明の実施形態では、あらかじめヘッドユニットが配置されている第２部材と、第１部材とは、固定体により挟持することにより、第１部材と第２部材からなるケースを確実かつ簡単に組立てることができる。このケースの組立にはねじは用いないので、従来生じていたねじにおけるミストの付着により発生したミストの侵入を確実に防ぐことができる。たとえばＵ字型の第１固定部材とＩ字型の第２固定部材を用いることで、ケースの第１部材と第２部材は、挟持して確実に固定することができる。しかもＩ字型の第２固定部材が、Ｕ字型の第１固定部材の第１開放端部と第２開放端部から取り外すことにより、ケースの第１部材と第２部材が簡単に分解して、第１部材と第２部材内の要素のメンテナンスなどを容易に行うことができる。
【００４１】
本発明の実施形態では、この補強部材を用いることにより、第１部部材の縁部と第２部材の縁部を固定して、これによって、ケースの第１部材と第２部材の組立状態を確実にすることができる。固定体によるケースの第１部材と第２部材の組立状態を解除することにより、第１部材と第２部材の中に配置されている基板のメンテナンスを簡単に行うことができる。固定体によるケースの第１部材と第２部材の組立状態を解除することにより、第１部材の針部材のメンテナンスと、第２部材側の流路開口のメンテナンスを容易に行うことができる。
【００４２】
図示した本発明の実施形態においては、ブラックインク、シアンインク、マゼンタインク、イエローインクの各インクを使用する４つのインクカートリッジが、キャリッジに装着できるようになっている。このインクカートリッジの数はこれに限らず、ブラックインク用のインクカートリッジだけを備えているものや、ブラックインクを除いた２色や３色のカラーインク用の３つのインクカートリッジや、あるいは５つのインクカートリッジ、あるいは６つ以上のインクカートリッジを備えているものであってもよい。
【００４３】
本発明は、インクジェット式記録装置としての上記実施形態に限定されず、特許請求の範囲を逸脱しない範囲で種々の変更を行うことができる。さらに、上述の各実施形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレイ、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【００４４】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４５】
【図１】本発明の液体噴射装置の好ましい実施形態であるインクジェット式記録装置を示す概略斜視図。
【図２】図１のインクジェット式記録装置における電気的な接続例を示すブロック図。
【図３】記録ヘッドの分解斜視図。
【図４】ケース、ヘッドユニットおよびカバーヘッドを示す図２におけるＡ−Ａ線における断面構造例を示す図。
【図５】インクカートリッジが搭載された例を示す図。
【図６】ケースおよび固定体の第１固定部材を示す斜視図。
【図７】固定体の第１固定部材と第２固定部材を示す図。
【図８】上ケースと下ケースが固定体により固定された様子を示す側面図。
【図９】図８の上ケースと下ケースが固定された状態に対して補強部材が取り付けられた例を示す図。
【図１０】本発明の別の実施形態を示す斜視図。
【図１１】図１０の実施形態により上ケースと下ケースが固定された様子を示す平面図。
【符号の説明】
【００４６】
１０・・・インクジェット式記録装置、３０・・・記録ヘッド、２００・・・突出部、３０１・・・ケース、３１０・・・ヘッドユニット、３１１Ｐ・・・ノズル面、３４０・・・下ケース、３５０・・・上ケース、４００・・・カバーヘッド（カバー部材）、６００・・・固定体、６０１・・・第１固定部材、６０２・・・第２固定部材、６６０・・・溝部分
【図１】
2006224363.tif 000003
【図２】
2006224363.tif 000004
【図３】
2006224363.tif 000005
【図４】
2006224363.tif 000006
【図５】
2006224363.tif 000007
【図６】
2006224363.tif 000008
【図７】
2006224363.tif 000009
【図８】
2006224363.tif 000010
【図９】
2006224363.tif 000011
【図１０】
2006224363.tif 000012
【図１１】
2006224363.tif 000013